(57)【要約】【課題】無線ネットワーク上で非通知電話を転送するための方法および装置を提供すること。【解決手段】より詳細には、本発明は、発呼者の名前または番号が得られない着呼を遮断し、さらに処理するために、その呼をインテリジェント周辺装置に転送するためのサービス論理を、無線ネットワーク上で実装することによって、無線サービス加入者向けの非通知電話転送サービスを提供することを対象とする。ある実施形態では、非通知電話は、ネットワークベースの録音装置などのインテリジェント周辺装置に向けられ、この装置は、発呼者の名前を録音し、次いで、被呼者にその名前を繰り返し、すなわち再生して、呼が接続される前に、被呼者が呼を受け付けまたは拒否できるようにする。【選択図】図１
2005160101.tif 000002
【特許請求の範囲】
【請求項１】
無線ネットワーク上で非通知電話を転送するための方法であって、
第１の当事者の第１の装置から、第２の当事者の第２の装置への呼を受信する工程であって、第２装置が無線装置である工程と、
第２装置に呼を送信するように試みる工程と、
呼が非通知電話であるかどうかを決定する工程と、
呼が非通知電話である場合に、インテリジェント周辺装置に呼を転送する工程と、
第１当事者に識別情報を要求する工程と、
識別情報を受信する工程と、
第２装置に呼を送信するように試みる工程と、
第２装置に呼について通知する工程と、
第２当事者に、第２装置が呼を受信するかどうかについての接続情報を要求する工程と、
接続情報を受信する工程と、
接続情報に基づいて呼を選択的に接続する工程とを含む方法。
【請求項２】
呼が非通知電話であるかどうかを決定する工程が、位置要求メッセージを解析する工程を含む、請求項１に記載の方法。
【請求項３】
呼が非通知電話であるかどうかを決定する工程が、送信ルーティング情報要求メッセージを解析する工程を含む、請求項１に記載の方法。
【請求項４】
呼が非通知電話であるかどうかを決定する工程が、発呼者情報が第１当事者によって提供されているかどうかに基づく、請求項１に記載の方法。
【請求項５】
呼が非通知電話であるかどうかを決定する工程が、提示表示子に基づく、請求項１に記載の方法。
【請求項６】
呼の送信を試みる工程が、位置要求を送信する工程を含む、請求項１に記載の方法。
【請求項７】
位置要求が第１当事者を識別せず、または制限付としてマークされた、第１当事者の提示表示子を含む、請求項６に記載の方法。
【請求項８】
位置要求が発呼者をネットワーク要素であると識別する、請求項６に記載の方法。
【請求項９】
ネットワーク要素がインテリジェント周辺装置である、請求項８に記載の方法。
【請求項１０】
無線ネットワーク上で非通知電話を転送するためのシステムであって、
第１の当事者の第１の装置から、第２の当事者の第２の装置への呼を受信する手段であって、第２装置が無線装置である手段と、
第２装置に呼を送信するように試みる手段と、
呼が非通知電話であるかどうかを決定する手段と、
呼が非通知電話である場合に、インテリジェント周辺装置に呼を転送する手段と、
第１当事者に識別情報を要求する手段と、
識別情報を受信する手段と、
第２装置に呼を送信するように試みる手段と、
第２装置に呼について通知する手段と、
第２当事者に、第２装置が呼を受信するかどうかについての接続情報を要求する手段と、
接続情報を受信する手段と、
接続情報に基づいて呼を選択的に接続する手段とを含むシステム。
【発明の詳細な説明】
【技術分野】
【０００１】
本発明は、無線ネットワーク上で、非通知電話（ａｎｏｎｙｍｏｕｓ  ｃａｌｌ）を転送（ｒｅｄｉｒｅｃｔｉｏｎ）するための方法および装置に関する。より詳細には、本発明は、発呼者の名前または番号が得られない着呼を遮断し、さらに処理するために、その呼をインテリジェント周辺装置に転送するためのサービス論理を、無線ネットワークに実装することによって、無線サービス加入者向けの非通知電話転送サービスを提供することを対象とする。ある実施形態では、非通知電話は、ネットワークベースの録音装置などのインテリジェント周辺装置に向けられ、この装置は、発呼者の名前を録音し、次いで、被呼者にその名前を繰り返し、すなわち再生して、呼が接続される前に、被呼者が呼を受け付けまたは拒否できるようにする。
【背景技術】
【０００２】
本発明は特に、非通知電話転送の技術を対象としており、したがって、それを具体的に参照して述べるが、本発明は、他の分野および適応例においても、有用であり得ることが理解されよう。たとえば、本発明は、被呼者を発呼者に接続する前に、無線ネットワーク上で呼を遮断することが有用である他の実装でも使用され得る。
【０００３】
背景として述べると、非通知電話転送サービスは、有線ネットワークでは、明確に定義され、利用可能なものである。こうしたサービスは、非通知電話を録音装置に転送できるようにする。次いで、録音装置で、発呼者は、被呼者に発呼者の身元が知らされるように、（名前を録音するなど）身元を明らかにするように促される。一般に、次いで、たとえば録音されたデータを被呼者に再生することによって、被呼者に発呼者の身元が明らかになると、被呼者は、通話を受け入れ、拒否し、またはボイス・メールに送信するために特定のボタンを押下するように要求される。このように、非通知の有線電話が遮断され、発呼者が身元を明らかにするまで、被呼者の呼出しは、遂行されない。有線ネットワークについて、他のタイプの非通知電話転送が知られている。そのうちの１つは、発呼者を被呼者に接続すべきかどうかを判断するために、データベースにアクセスすることをも伴うものである。
【０００４】
特に、こうした非通知電話転送の周知の無線等価物は存在しない。こうした機能を現在提供しているプロバイダは、存在しない。実際に、無線ネットワークにおける非通知電話転送の実装は、有線ネットワークでの実装とは、必然的に異なる。この点に関して、呼は、無線ネットワーク上の多くの異なるエンティティを通る。有線ネットワークでは、呼は常に、ある当事者から別の当事者に、同じ回線を介して接続される。結果として、無線環境での非通知電話転送の実装はこれまで、困難であり、実現されていない。
【発明の開示】
【発明が解決しようとする課題】
【０００５】
従って、上述の問題および他を解決する、無線ネットワーク上で、非通知電話を転送するためのシステムの実現が望まれている。
【課題を解決するための手段】
【０００６】
本発明により、非通知電話を転送するための方法および装置が提供される。本発明のある態様では、本発明の方法は、第１の当事者の第１の装置から、無線装置である、第２の当事者の第２の装置への呼を受信すること、第２装置に呼を送信するように試みること、呼が非通知電話であるかどうかを決定すること、呼が非通知電話である場合に、呼をインテリジェント周辺装置に転送すること、第１当事者からの識別情報を要求すること、識別情報を受信すること、第２装置に呼を送信するように試みること、第２装置に呼について通知すること、第２装置が呼を受け付けるかどうかに関する接続情報を、第２装置に要求すること、接続情報を受信すること、および接続情報に基づいて、呼を選択的に接続することを含む。
【０００７】
本発明の別の態様では、呼が非通知電話であるかどうかを決定することが、位置要求メッセージを解析することを含む。
【０００８】
本発明の別の態様では、呼が非通知電話であるかどうかを決定することが、送信ルーティング情報要求メッセージを解析することを含む。
【０００９】
本発明の別の態様では、呼が非通知電話であるかどうかを決定することが、データベース・モジュールにアクセスすることを含む。
【００１０】
本発明の別の態様では、呼が非通知電話であるかどうかを決定することが、発呼者情報が第１当事者によって提供されるかどうかに基づく。
【００１１】
本発明の別の態様では、呼が非通知電話であるかどうかを決定することが、提示表示子（ｐｒｅｓｅｎｔａｔｉｏｎ  ｉｎｄｉｃａｔｏｒ）に基づく。
【００１２】
本発明の別の態様では、呼を送信するように試みることが、位置要求を送信することを含む。
【００１３】
本発明の別の態様では、位置要求が第１当事者を識別せず、または制限されたものとしてマークされた第１当事者の提示表示子を含む。
【００１４】
本発明の別の態様では、位置要求が発呼者をネットワーク要素であると識別する。
【００１５】
本発明の別の態様では、ネットワーク要素がインテリジェント周辺装置である。
【００１６】
本発明の別の態様では、位置要求が、送信ルーティング情報メッセージの形式を取る。
【００１７】
本発明の別の態様では、システムが本方法を実現するための手段を含む。
【００１８】
本発明のさらなる適用範囲は、以下で示す詳細な説明から明らかになる。しかし、詳細な説明および具体的な例は、本発明の好ましい実施形態を示しているが、本発明の精神および範囲内の様々な変更および修正が当業者には明らかになるので、それは、例示するために示されるものにすぎないことを理解されたい。
【００１９】
本発明は、構成、配置、装置の様々な部品の組合せ、方法の工程の形で存在し、それによって、以下でより十分に説明し、特許請求の範囲において具体的に指摘し、また添付の図面で図示するように、企図される目標が達成される。
【発明を実施するための最良の形態】
【００２０】
本発明は、無線サービス加入者の移動局に届く非通知電話のための、無線ネットワーク上の電話転送サービスを提供する。主題のシステムは、ホーム・ロケーション・レジスタ（ＨＬＲ：ｈｏｍｅ  ｌｏｃａｔｉｏｎ  ｒｅｇｉｓｔｅｒ）（またはサービス制御ポイント（ＳＣＰ：ｓｅｒｖｉｃｅ  ｃｏｎｔｒｏｌ  ｐｏｉｎｔ））などのネットワーク要素内に提供されるサービス論理によって、非通知の電話を、（一般に、発呼者に「名前を言って下さい」と依頼する）録音装置などのインテリジェント周辺装置に送信して、呼を被呼者に接続する前に、発呼者から識別情報を取得する。以下でより詳細に述べるように、取得された情報、すなわち録音されたデータを使用して、被呼者に対して発呼者の身元を明らかにする。次いで、被呼者は、その身元に基づいて、呼を受け付け、または呼を拒否するかについて制御する役割を担う。このようにして、無線ネットワークに、これまで知られていない機能である、非通知電話の転送が提供される。
【００２１】
本発明を限定するためではなく、本発明の好ましい諸実施形態を例示するために示されている、図面を次に参照すると、図１に、本発明を実施することができる、例示的なネットワークの図が示されている。図示するように、ネットワーク１０は、様々な共通のネットワーク要素を含んでおり、こうした要素の一部は、本発明に適応するように修正される。
【００２２】
具体的には、ネットワーク１０は、発呼者１２と被呼者、すなわち無線加入者１４との間の通信を提供する。発呼者は、公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）１６を介した標準の電話を含めて、様々なネットワーク要素のいずれかから、呼を発信し得る。その呼は、無線加入者１４に対するものなので、呼は、無線ネットワーク上の発信側移動交換局（Ｏ−ＭＳＣ：ｏｒｉｇｉｎａｔｉｎｇ  ｍｏｂｉｌｅ  ｓｗｉｔｃｈｉｎｇ  ｃｅｎｔｅｒ）１８に接続される。発信側移動交換局（Ｏ−ＭＳＣ）１８は、ホーム・ロケーション・レジスタ（ＨＬＲ）２０と、またインテリジェント周辺装置２２とも通信する。図示するように、サービス側移動交換局（Ｓ−ＭＳＣ：ｓｅｒｖｉｎｇ  ｍｏｂｉｌｅ  ｓｗｉｔｃｈｉｎｇ  ｃｅｎｔｅｒ）２４も設けられる。もちろん、被呼者の移動局が、発信側移動交換局（Ｏ−ＭＳＣ）に登録し、または現在そこでアクティブである場合には、発信側移動交換局（Ｏ−ＭＳＣ）とサービス側移動交換局（Ｓ−ＭＳＣ）２４は、同じものであることを理解されたい。当業者には、こうした違いが認識されよう。
【００２３】
動作において、発呼者の情報が欠落し、または制限付きとマークされた着呼が、加入者のホーム、すなわち発信側の移動交換局（Ｏ−ＭＳＣ）１８に到着する。発信側移動交換局（ＭＳＣ）１８は、加入者の位置ルーティング情報を取得するために、加入者のホーム・ロケーション・レジスタ（ＨＬＲ）２０に信号を送る。これは一般に、通常のＡＮＳＩ−４１（米国規格協会：Ａｍｅｒｉｃａｎ  Ｎａｔｉｏｎａｌ  Ｓｔａｎｄａｒｄ  Ｉｎｓｔｉｔｕｔｅ）の呼送達手順（すなわちＬＯＣＲＥＱメッセージの送信）を用いて行われる。発信側移動交換局（ＭＳＣ）１８によって送信された位置要求が、発呼者情報を含んでいない場合は、ホーム・ロケーション・レジスタ（ＨＬＲ）２０は、発信側移動交換局（ＭＳＣ）１８に、既存の呼スクリーニング・サービス論理が常駐する、インテリジェント周辺ネットワーク要素２２に、呼をルーティングするように命令する。たとえば、呼がインテリジェント周辺装置２２に到着すると、発呼者は、自分自身の身元を明らかにするために、メッセージを録音するように促される。録音がうまく完了すると、発呼者は、保留され、呼は、発信側移動交換局（Ｏ−ＭＳＣ）１８にルーティングされ、発信側移動交換局は、それに引き続き、サービス加入者に呼を送達するように試みる。呼は最終的に、加入者のサービス側移動交換局（Ｓ−ＭＳＣ）２４に到着する。応答すると、インテリジェント周辺ネットワーク要素２２は、録音されたメッセージを再生し、加入者に、呼を受け付けまたは拒否する選択肢を提供する。加入者が呼を受け付ける場合は、発呼者とサービス加入者が接続される。そうでない場合、呼が切断される。
【００２４】
図２を参照すると、本発明による呼の流れ２００が示されている。この呼の流れには、本発明による、図１のネットワーク１０内で実施される方法のさらなる詳細が示されている。
【００２５】
最初に、発呼者からの着呼が、加入者の発信側移動交換局（Ｏ−ＭＳＣ）１８に到着する（２０２）。呼は、発信側移動交換局に到着する前に、他のネットワーク要素（図示せず）を介して運ばれ得る。その呼が、（使用され得るシグナリング・プロトコルの一例である）ＩＳＵＰ（統合デジタル通信網ユーザ部：Ｉｎｔｅｇｒａｔｅｄ  Ｓｅｒｖｉｃｅｓ  Ｄｉｇｉｔａｌ  Ｎｅｔｗｏｒｋ  Ｕｓｅｒ  Ｐａｒｔ）シグナリングを使用していた場合、受信される第１のメッセージは、ＩＡＭ（ｉｎｉｔｉａｌ  ａｄｄｒｅｓｓ  ｍｅｓｓａｇｅ：初期アドレス・メッセージ）であり、このメッセージは一般に、発呼者を「Ａ」、また被呼者を「Ｂ」であると識別する働きをする、ＣｇＰＮ＝ＡおよびＣｄＰＮ＝Ｂなどの、発呼者／被呼者のデータを含む。ＣｇＰＮ情報は一般に、Ａの番号がＢに提示され得るかどうか、またはそれが制限されている（すなわち「非公開」）かどうかを示す、提示表示子をも含む。
【００２６】
発信側移動交換局（Ｏ−ＭＳＣ）１８は、ＡＮＳＩ−４１シグナリングなどのシグナリング・プロトコルを用いて、ホーム・ロケーション・レジスタに、位置要求、すなわちＬＯＣＲＥＱ（Ｂ）を送信する（ステップ２０４）。ホーム・ロケーション・レジスタ（ＨＬＲ）２０は、ＬＯＣＲＥＱを調べ、Ａの発呼者の番号（ＣｇＰＮ）が欠落し、または「提示制限」に設定されているかどうかを判断する。
【００２７】
そうである場合、ホーム・ロケーション・レジスタ（ＨＬＲ）２０は、加入者レコード内で、この加入者が、非通知電話転送サービスをオンにしていることを検出する。これは、様々な周知の技術のいずれかを使用して遂行される。したがって、ホーム・ロケーション・レジスタ（ＨＬＲ）２０は、Ｏ−ＭＳＣに、「転送先」番号を含む、ｌｏｃｒｅｑ戻り結果で応答する（２０６）。「転送先」番号は、インテリジェント周辺装置２２の番号であり、また好ましくは、このサービスのすべての加入者について同じである。転送先番号を運ぶフィールドは、当技術分野において既に存在している。
【００２８】
発信側移動交換局（Ｏ−ＭＳＣ）１８は、呼を、インテリジェント周辺装置２２の番号である「転送先」番号に向けて送る（２０８）。インテリジェント周辺装置２２とのインターフェースは、この図では、ＩＳＤＮ（統合デジタル通信網）であるが、他のインターフェース（ＩＳＵＰなど）も使用され得る。この時点で、インテリジェント周辺装置２２は、発呼者Ａに、名前を録音するように促し、Ａは、たとえば、「Ｇｅｏｒｇｅ  Ｂｕｒｄｅｌｌ」であると話す。
【００２９】
インテリジェント周辺装置２２は、発信側移動交換局（Ｏ−ＭＳＣ）１８への戻りの呼を、ＣｄＰＮ＝Ｂ、およびＣｇＰＮ＝インテリジェント周辺装置の番号で設定する（２１０）。
【００３０】
次いで、発信側移動交換局（Ｏ−ＭＳＣ）１８は、ホーム・ロケーション・レジスタ（ＨＬＲ）２０に、ＬＯＣＲＥＱ（Ｂ）を送信する（２１２）。この時に、ホーム・ロケーション・レジスタは、ＬＯＣＲＥＱを受信すると、ＣｇＰＮ＝インテリジェント周辺装置の番号であることを見て、したがって、インテリジェント周辺装置２２に、呼を再び転送しない。
【００３１】
そうではなく、ホーム・ロケーション・レジスタ（ＨＬＲ）２０は、ＴＬＤＮ（一時ローカル電話番号）を取得するために、ルーティング要求、すなわちＲＯＵＴＲＥＱを、サービス側移動交換局（Ｓ−ＭＳＣ）２４に送信する（２１４）。サービス側移動交換局（Ｓ−ＭＳＣ）が発信側移動交換局（Ｏ−ＭＳＣ）と同じ（すなわち携帯電話がどこにもローミングしていない）場合には、２１４、２１６、２１８で図示する工程は、発生しないことに留意されたい。
【００３２】
サービス側移動交換局（Ｓ−ＭＳＣ）２４は、ＴＬＤＮを付けて、ｒｏｕｔｒｅｑ戻り結果を返送する（２１６）。
【００３３】
ホーム・ロケーション・レジスタ（ＨＬＲ）は、このＴＬＤＮをＯ−ＭＳＣに渡す（２１８）。
【００３４】
発信側移動交換局（Ｏ−ＭＳＣ）１８は、呼送達トランクを介してサービス側移動交換局（Ｓ−ＭＳＣ）２４に、ＣｄＰＮ＝ＴＬＤＮを付けて、呼を送信する（２２０）。
【００３５】
携帯電話Ｂは、呼び出され（２２２）、次いで、応答する（２２４）。より一般的に言うと、携帯電話Ｂは、着呼について知らされ、応答する。
【００３６】
インテリジェント周辺装置２２は、携帯電話が応答したことを検出すると、録音されたデータに基づいて、たとえば、「Ｇｅｏｒｇｅ  Ｂｕｒｄｅｌｌからの電話です。電話を受け付けるには、１を押下してください」と告げる（２２６）。
【００３７】
携帯電話Ｂで、電話を受け付けるために、１を押下する（２２８）。
【００３８】
インテリジェント周辺装置２２は、ユーザによって「１」が押下されたことを検出し、２者ＡとＢを、互いに接続する（２３０、２３２）。もちろん、被呼者１４が、呼を受け付けないこともある。その場合、呼が終了され、またはボイス・メール・システムに送信される。
【００３９】
このアーキテクチャは、呼の継続時間の間、インテリジェント周辺装置２２を介して、呼が中継されたままであることを示している。ＩＳＵＰの開放リンク中継（リリース・リンク・トランキング  Ｒｅｌｅａｓｅ  Ｌｉｎｋ  Ｔｒｕｎｋｉｎｇ）やＩＳＤＮの２Ｂチャネル転送など、他の方法を使用することもできる。こうした方法は、発信移動交換局（Ｏ−ＭＳＣ）１８で、呼のレグを組み合わせ、被呼側のユーザが呼を受け付けた後に、音声パスから、インテリジェント周辺装置２２を除くものである。
【００４０】
図３を参照すると、本発明によるサービス論理を表す方法３００を示すフローチャートが図示されている。このサービス論理は、好ましくは、本発明を実施するために、ホーム・ロケーション・レジスタ（ＨＬＲ）２０が動作する論理である。具体的には、方法３００は、ホーム・ロケーション・レジスタ（ＨＬＲ）２０が位置要求を受信することから開始する（工程３０２）。この時点で、ＨＬＲは、発呼者番号が、位置要求から欠落し、または「提示制限」と識別されるかどうかを判断する（工程３０４）。そうでない場合、通常の呼の送達が遂行される（工程３０６）。しかし、発呼者番号が位置要求から欠落し、または「提示制限」と識別される場合、ＨＬＲのサービス論理は、発信移動交換局（Ｏ−ＭＳＣ）１８に、位置要求を「転送先」番号とともに返送し、この場合、転送先番号は、インテリジェント周辺装置２２の番号である（工程３０８）。図２の説明から、ホーム・ロケーション・レジスタ（ＨＬＲ）２０のサービス論理が、発呼者がインテリジェント周辺装置２２であると識別される、後続の位置要求を、通常の呼として処理し、通常の呼送達の状態に戻し、さらなる処理を可能にすることが理解されよう。
【００４１】
図４を参照すると、ＧＳＭ環境内で実施された本発明が図示されている。これに関連し、図４又は図５において、ＳＲＩは、送信ルーティング情報（ＳｅｎｄＲｏｕｔｉｎｇＩｎｆｏｒｍａｔｉｏｎ）のＧＳＭ／ＵＭＴＳ  ＭＡＰメッセージを表し、ＰＲＮは、提供ローミング番号（ＰｒｏｖｉｄｅＲｏａｍｉｎｇＮｕｍｂｅｒ）のＧＳＭ／ＵＭＴＳ  ＭＡＰメッセージを表し、ＭＳＲＮは、移動局ローミング番号（Ｍｏｂｉｌｅ  Ｓｔａｔｉｏｎ  Ｒｏａｍｉｎｇ  ｎｕｍｂｅｒ）を表し、Ｇ−ＭＳＣは、ゲートウェイＭＳＣを表す。
【００４２】
図示するように、ネットワーク４００は、発呼者４１２と被呼者、すなわち無線加入者４１４との間の通信を提供する。発呼者は、公衆交換電話網（ＰＳＴＮ）４１６を介した標準の電話を含めて、様々なネットワーク要素から、呼を発信することができる。この呼は、無線加入者４１４に対するものなので、呼は、無線ネットワーク上のゲートウェイ移動交換局（Ｇ−ＭＳＣ：ｇａｔｅｗａｙ  ｍｏｂｉｌｅ  ｓｗｉｔｃｈｉｎｇ  ｃｅｎｔｅｒ）４１８に接続される。ゲートウェイ移動交換局（Ｇ−ＭＳＣ）４１８は、ホーム・ロケーション・レジスタ（ＨＬＲ）４２０と、またインテリジェント周辺装置４２２とも通信する。図示するように、サービス側移動交換局（Ｓ−ＭＳＣ）４２４も設けられる。もちろん、被呼者の移動局が、発信側移動交換局に登録し、または現在そこでアクティブである場合には、発信側移動交換局（Ｏ−ＭＳＣ）とサービス側移動交換局（Ｓ−ＭＳＣ）４２４は、同じものであることを理解されたい。当業者には、こうした違いが認識されよう。
【００４３】
図４に示すネットワークの動作は、図１に関連して示した動作と類似する。しかし、構成要素は、多少異なる。この点について、発信側移動交換局ではなく、ゲートウェイ移動交換局（Ｇ−ＭＳＣ）４１８が設けられる。さらに、図５から明らかであるように、本発明を実施するために、要素間で提供されるメッセージングおよびシグナリングの形態およびプロトコルは、図１のネットワークのそれと必然的に異なる。
【００４４】
この点に関して、図５に、図４のＧＳＭネットワーク４００で実施される本発明の方法を示す、呼の流れ５００を図示する。この呼の流れ５００は、図２のそれと類似するが、しかし、位置要求は、ＧＳＭ用語では、送信ルーティング情報（ＳＲＩ：Ｓｅｎｄ  Ｒｏｕｔｉｎｇ  Ｉｎｆｏｒｍａｔｉｏｎ）メッセージまたは要求であることが見て分かる。さらに、ルーティング要求（ＲＯＵＴＲＥＱ）は、ＧＳＭ用語では、提供ローミング番号（ＰＲＮ）メッセージと称される。
【００４５】
最初に、発呼者からの着呼が、加入者のゲートウェイ移動交換局（Ｇ−ＭＳＣ）４１８に届く（５０２）。この呼は、ゲートウェイ移動交換局に届く前に、他のネットワーク要素（図示せず）を介して運ばれ得る。この呼が、（使用され得るシグナリング・プロトコルの一例である）ＩＳＵＰシグナリングを使用していた場合、受信される第１のメッセージは、ＩＡＭ（初期アドレス・メッセージ）であり、このメッセージは一般に、発呼者を「Ａ」、また被呼者を「Ｂ」であると識別する働きをする、ＣｇＰＮ＝ＡおよびＣｄＰＮ＝Ｂなどの、発呼者／被呼者のデータを含む。ＣｇＰＮ情報は一般に、Ａの番号がＢに提示され得るかどうか、またはそれが制限されている（すなわち「非公開」）かどうかを示す、提示表示子をも含む。
【００４６】
ゲートウェイ移動交換局（Ｇ−ＭＳＣ）４１８は、ＧＳＭ  ＭＡＰシグナリングなどのシグナリング・プロトコルを用いて、ホーム・ロケーション・レジスタ（ＨＬＲ）４２０に、ルーティング情報要求、すなわちＳＲＩメッセージを送信する（工程５０４）。ホーム・ロケーション・レジスタ（ＨＬＲ）４２０は、ＳＲＩメッセージを調べ、Ａの発呼者の番号（ＣｇＰＮ）が欠如し、または「提示制限」に設定されているかどうかを判断する。
【００４７】
そうである場合、ホーム・ロケーション・レジスタ（ＨＬＲ）４２０は、加入者レコード内で、この加入者が、非通知電話転送サービスをオンにしていることを検出する。これは、様々な周知の技術のいずれかを使用して遂行される。したがって、ホーム・ロケーション・レジスタ（ＨＬＲ）４２０は、ＳＲＩ肯定応答、すなわち「転送先」番号が含まれた応答で、Ｇ−ＭＳＣに応答する（５０６）。この「転送」番号は、インテリジェント周辺装置４２２の番号であり、また好ましくは、このサービスのすべての加入者について同じである。転送先番号を運ぶフィールドは、当技術分野において既に存在している。
【００４８】
ゲートウェイ移動交換局（Ｇ−ＭＳＣ）４１８は、呼を、インテリジェント周辺装置４２２である「転送先」番号に向けて送る（５０８）。インテリジェント周辺装置４２２とのインターフェースは、この図では、ＩＳＤＮであるが、他のインターフェース（ＩＳＵＰなど）も使用され得る。この時点で、インテリジェント周辺装置４２２は、発呼者Ａに、名前を録音するように促し、Ａは、たとえば、「Ｇｅｏｒｇｅ  Ｂｕｒｄｅｌｌ」であると話す。
【００４９】
インテリジェント周辺装置４２２は、ゲートウェイ移動交換局（Ｇ−ＭＳＣ）４１８への戻りの呼を、ＣｄＰＮ＝Ｂ、およびＣｇＰＮ＝インテリジェント周辺装置の番号で設定する（５１０）。
【００５０】
次いで、ゲートウェイ移動交換局（Ｇ−ＭＳＣ）４１８は、ホーム・ロケーション・レジスタ（ＨＬＲ）４２０に、ＳＲＩメッセージを送信する（５１２）。この時に、ホーム・ロケーション・レジスタは、ＳＲＩメッセージを受信すると、ＣｇＰＮ＝インテリジェント周辺装置の番号であることを見て、したがって、インテリジェント周辺装置４２２に向けて、呼を再び転送しない。
【００５１】
そうではなく、ホーム・ロケーション・レジスタ（ＨＬＲ）４２０は、ＭＳＲＮを取得するために、ローミング番号メッセージ、すなわちＰＲＮメッセージまたは要求を、サービス側移動交換局（Ｓ−ＭＳＣ）４２４に送信する（５１４）。サービス側移動交換局（Ｓ−ＭＳＣ）がゲートウェイ移動交換局（Ｇ−ＭＳＣ）と同じである（すなわち携帯電話がＧ−ＭＳＣ外にローミングしていない）場合には、５１４、５１６、５１８で図示する工程は、発生しないことに留意されたい。
【００５２】
サービス側移動交換局（Ｓ−ＭＳＣ）４２４は、ＰＲＮ肯定応答、すなわちＭＳＲＮを含む応答を返送する（５１６）。
【００５３】
ホーム・ロケーション・レジスタ（ＨＬＲ）は、Ｇ−ＭＳＣに、このＭＳＲＮを渡す（５１８）。
【００５４】
ゲートウェイ移動交換局（Ｇ−ＭＳＣ）４１８は、呼送達トランクを介してサービス側移動交換局（Ｓ−ＭＳＣ）４２４に、ＣｄＰＮ＝ＭＳＲＮを付けて、呼を送信する（５２０）。
【００５５】
携帯電話Ｂは、呼び出され（５２２）、次いで、応答する（５２４）。もちろん、より一般的に言うと、携帯電話Ｂは、着呼について知らされ、応答する。
【００５６】
インテリジェント周辺装置４２２は、携帯電話が応答したことを検出すると、録音されたデータに基づいて、たとえば、「Ｇｅｏｒｇｅ  Ｂｕｒｄｅｌｌからの電話です。電話を受け付けるには、１を押下してください」と告げる（５２６）。
【００５７】
携帯電話Ｂで、電話を受け付けるために、１を押下する（５２８）。
【００５８】
インテリジェント周辺装置４２２は、ユーザによって「１」が押下されたことを検出し、Ａ者とＢ者を互いに接続する（５３０、５３２）。もちろん、被呼者４１４が、呼を受け付けないこともできる。その場合、呼が終了され、またはボイス・メール・システムに送信される。
【００５９】
次に、図６を参照すると、図４のネットワークのホーム・ロケーション・レジスタ（ＨＬＲ）４２０内に格納されたサービス論理が示されている。この方法６００は、ホーム・ロケーション・レジスタで、送信ルーティング情報（ＳＲＩ）メッセージを受信することから開始される（工程６０２）。次いで、ホーム・ロケーション・レジスタ（ＨＬＲ）４２０は、発呼者の番号が、メッセージから欠落し、または制限されているかどうかを判断する（工程６０４）。そうでない場合、通常の呼送達が遂行される（工程６０６）。しかし、発呼者の番号がメッセージから欠落し、または制限されている場合は、ＨＬＲは、ゲートウェイ移動交換局（ＧＭＳＣ）４１８に、「転送先」番号を含む、送信ルーティング情報（ＳＲＩ）肯定応答を返送する（工程６０８）。この転送先番号は、図２および４に関連して説明したように、次いで情報を処理する、インテリジェント周辺装置４２２の番号である。
【００６０】
図７に、本発明の別の実施形態を示す。ここでは、図１のネットワークに類似のネットワークに、発呼者名アプリケーション・モジュール７２１も設けられる。このモジュールは、発呼者に接続され得る番号、または接続され得ない番号を格納するデータベースを含む。このサービス・アーキテクチャーは、ＡＮＳＩ−４１メッセージングを使用して示されている。しかし、当業者は、ここでは、ＡＮＳＩ−４１メッセージではなく、対応するＧＳＭプロトコル・メッセージを用いて、これを実施することもできる。
【００６１】
図示するように、ネットワーク７００は、発呼者７１２と被呼者、すなわち無線加入者７１４との間の通信を提供する。発呼者は、公衆交換電話網（ＰＳＴＮ）７１６を介した標準の電話を含めて、様々なネットワーク要素から、呼を発信し得る。その呼は、無線加入者７１４に対するものなので、呼は、無線ネットワーク上の発信側移動交換局（Ｏ−ＭＳＣ）７１８に接続される。発信側移動交換局（Ｏ−ＭＳＣ）７１８は、ホーム・ロケーション・レジスタ（ＨＬＲ）７２０と、またインテリジェント周辺装置７２２とも通信する。この実施形態では、ホーム・ロケーション・レジスタ（ＨＬＲ）７２０は、発呼者名アプリケーション・モジュール７２１とも通信することを理解されたい。ある形態では、サービス側移動交換局（Ｓ−ＭＳＣ）７２４も設けられる。もちろん、被呼者の移動局が、発信側移動交換局に登録し、または現在そこでアクティブである場合には、サービス側移動交換局（Ｓ−ＭＳＣ）７２４は、必要ない。当業者には、こうした違いが認識されよう。
【００６２】
図８を参照すると、図７のネットワークで実施される方法を示す、呼の流れ８００が図示されている。図示するように、ＣｇＰＮ＝ＡおよびＣｄＰＮ＝Ｂである、発呼者からの着呼が、加入者の発信側移動交換局（Ｏ−ＭＳＣ）に届く（８０２）。この呼は、発信側移動交換局に到着する前に、他のネットワーク要素（図示せず）を介して運ばれ得る。
発信側移動交換局（Ｏ−ＭＳＣ）７１８は、ホーム・ロケーション・レジスタ（ＨＬＲ）７２０に、ＬＯＣＲＥＱ（Ｂ）を送信する（８０４）。
【００６３】
ホーム・ロケーション・レジスタ（ＨＬＲ）７２０は、加入者レコード内で、この加入者が、呼スクリーニング・サービスをオンにしていることを検出する。ホーム・ロケーション・レジスタ（ＨＬＲ）７２０は、発呼者名アプリケーション・モジュール７２１に、（上述したように）発呼者番号を含む、ＡＮＳＩ−４１  ＳＥＲＶＲＥＱなどのサービス要求を送信する（８０６）。
【００６４】
発呼者名アプリケーション・モジュール７２１は、そのＣｇＰＮについての登録があるかどうかをチェックし、ｓｅｒｖｒｅｑ戻り結果メッセージ内で、その結果を、ホーム・ロケーション・レジスタ（ＨＬＲ）７２０に送信する（８０８）。
【００６５】
ホーム・ロケーション・レジスタ（ＨＬＲ）７２０は、ｓｅｒｖｒｅｑ戻り結果を見て、この呼が特別なスクリーニング処理を必要とするか（たとえば、発呼者名データベースで、名前が得られないか）どうかを調べる。そうである場合、ホーム・ロケーション・レジスタ（ＨＬＲ）７２０は、転送先番号を含むｌｏｃｒｅｑ戻り結果で、発信側移動交換局（Ｏ−ＭＳＣ）７１８に応答する（８１０）。この転送先番号は、インテリジェント周辺装置の番号であり、すべての加入者について同じである可能性が高い。
【００６６】
発信側移動交換局（Ｏ−ＭＳＣ）７１８は、呼を、インテリジェント周辺装置７２２である、転送先番号に向ける（８１２）。インテリジェント周辺装置７２２とのインターフェースは、ＩＳＤＮであるが、他のプロトコル（ＩＳＵＰなど）も使用され得る。この時点で、インテリジェント周辺装置７２２は、発呼者に、名前を録音するように促し、Ａは、たとえば、「Ｇｅｏｒｇｅ  Ｂｕｒｄｅｌｌ」であると話す。
【００６７】
インテリジェント周辺装置７２２は、移動交換局（ＭＳＣ）への戻りの呼を、ＣｄＰＮ＝Ｂで設定する（８１４）。
【００６８】
発信側移動交換局（Ｏ−ＭＳＣ）７１８は、ホーム・ロケーション・レジスタ（ＨＬＲ）７２０に、ＬＯＣＲＥＱ（Ｂ）を送信する。この時に、ホーム・ロケーション・レジスタ（ＨＬＲ）７２０は、ＬＯＣＲＥＱを受信すると、ＣｇＰＮ＝インテリジェント周辺装置７２０の番号であることを見て、したがって、引き続き、発呼者名アプリケーション・モジュール７２１に、ＳＥＲＶＲＥＱ照会を送信しない。
【００６９】
ホーム・ロケーション・レジスタ（ＨＬＲ）は、ＴＬＤＮを取得するために、サービス側移動交換局（Ｓ−ＭＳＣ）７２４に、ＲＯＵＴＲＥＱを送信する（８１８）。サービス側移動交換局（Ｓ−ＭＳＣ）が発信側移動交換局（Ｏ−ＭＳＣ）と同じである（すなわち携帯電話が発信側ＭＳＣ外にローミングしていない）場合には、選択された工程は発生しないことに留意されたい。
【００７０】
サービス側移動交換局（Ｓ−ＭＳＣ）７２４は、ＴＬＤＮを付けて、ｒｏｕｔｒｅｑ戻り結果を返送する（８２０）。
【００７１】
ホーム・ロケーション・レジスタ（ＨＬＲ）７２０は、発信移動交換局（Ｏ−ＭＳＣ）７１８に、このＴＬＤＮを渡す（８２２）。
【００７２】
発信側移動交換局（Ｏ−ＭＳＣ）７１８は、呼送達トランクを介してサービス側移動交換局（Ｓ−ＭＳＣ）７２４に、ＣｄＰＮ＝ＴＬＤＮを付けて、呼を送信する（８２４）。
【００７３】
携帯電話Ｂは、呼び出され、または別の方法で、着呼について知らされる（８２６）。携帯電話が応答すると（８２８）、「Ｇｅｏｒｇｅ  Ｂｕｒｄｅｌｌ」からの電話です。電話を受け付けるには、１を押下し、拒否するには、２を押下してください。」と、インテリジェント周辺装置がアナウンスの形で再生するのが聞こえる（８３０）。
【００７４】
携帯電話Ｂが電話を受け付けるために、１を押下すると（８３２）、呼は、接続され、呼の継続時間の間、インテリジェント周辺装置を介して中継されたままである（８３４、８３６）。
【００７５】
図９を参照すると、ホーム・ロケーション・レジスタ（ＨＬＲ）７２０内に格納された、サービス論理が示されている。これに関して、方法９００は、ホーム・ロケーション・レジスタ（ＨＬＲ）７２０によって、位置要求が受信されることから開始される（工程９０２）。サービス論理はまず、発呼者番号が、インテリジェント周辺装置７２２の番号であるかどうかを判断する（工程９０４）。そうである場合、通常の呼の送達が遂行される（工程９０６）。そうでない場合、ホーム・ロケーション・レジスタ（ＨＬＲ）７２０は、その呼が、特別な呼スクリーニング・サービスを受ける対象であるどうかを判断する（工程９０８）。そうでない場合、通常の呼の送達が遂行される（工程９０６）。しかし、呼スクリーニング・サービスが適用される場合は、サービス要求が、発呼者名アプリケーション・モジュール７２１に送信される（工程９１０）。次いで、ホーム・ロケーション・レジスタ（ＨＬＲ）７２０は、発呼者名アプリケーション・モジュール７２１から、フィードバックを受信する（工程９１２）。この情報に基づいて、それは、呼の特別な処理が必要であるかどうかを判断する（工程９１４）。そうでない場合、通常の呼の送達が遂行される（工程９０６）。しかし、呼の特別な処理が必要である場合、「転送先」番号を含む、位置要求が、発信側移動交換局（Ｏ−ＭＳＣ）７１８に送信され（工程９１６）、図８に関して述べたさらなる呼処理が行われる。
【００７６】
図１０を参照すると、サービス制御ポイント（ＳＣＰ：ｓｅｒｖｉｃｅ  ｃｏｎｔｒｏｌ  ｐｏｉｎｔ）を使用した、本発明の実施について示されている。このサービス・アーキテクチャーは、ＡＮＳＩ−４１メッセージングを使用して示されている。しかし、当業者は、ここでは、ＡＮＳＩ−４１メッセージではなく、対応するＧＳＭプロトコル・メッセージを用いて、これを実施することもできる。
【００７７】
図示するように、ネットワーク１０００は、発呼者１０１２と被呼者、すなわち無線加入者１０１４との間の通信を提供する。発呼者は、公衆交換電話網（ＰＳＴＮ）１０１６を介した標準の電話を含めて、様々なネットワーク要素から呼を発信し得る。この呼は、無線加入者１０１４に対するものなので、呼は、無線ネットワーク上の発信側移動交換局（Ｏ−ＭＳＣ）１０１８に接続される。発信側移動交換局（Ｏ−ＭＳＣ）１０１８は、ホーム・ロケーション・レジスタ（ＨＬＲ）１０２０と、またインテリジェント周辺装置１０２２とも通信する。この実施形態では、サービス制御ポイント（ＳＣＰ）１０２３も示されている。ある形態では、サービス側移動交換局（Ｓ−ＭＳＣ）１０２４も設けられる。もちろん、同じ移動交換局内で、呼が生起し、かつ終了する場合、サービス側移動交換局（Ｓ−ＭＳＣ）１０２４は、必要ない。当業者には、こうした違いが認識されよう。
動作において、呼スクリーニング処理のために、呼をインテリジェント周辺装置にルーティングするかどうかの判断は、サービス制御ポイント（ＳＣＰ）１０２３に常駐する。ＩＳ−７７１の高度着信トリガ（Ａｄｖａｎｃｅｄ  Ｔｅｒｍｉｎａｔｉｏｎ  Ｔｒｉｇｇｅｒ）が、発信側移動交換局（Ｏ−ＭＳＣ）１０１８によって、論理が常駐するＳＣＰ１０２３に対して始動される。高度着信トリガは、加入者のホーム・ロケーション・レジスタ（ＨＬＲ）１０２０のレコード内に備えられる。
【００７８】
図１１を参照すると、Ｂに電話をしているＡ、および呼スクリーニング・サービス機能に加入しているＢとの呼の流れ１１００が図示されている。
【００７９】
発信側移動交換局（Ｏ−ＭＳＣ）１０１８が、Ｂのための着呼を受信する（１１０２）。この呼は、発信側移動交換局に届く前に、他のネットワーク要素（図示せず）を介して運ばれ得る。それは、ホーム・ロケーション・レジスタ（ＨＬＲ）に、ＬＯＣＲＥＱを送信する（１１０４）。
【００８０】
ホーム・ロケーション・レジスタ（ＨＬＲ）１０２０は、ｌｏｃｒｅｑ戻り結果内に、高度着信トリガを、動的に付ける（１１０６）。
【００８１】
発信側移動交換局（Ｏ−ＭＳＣ）１０１８は、高度着信トリガ・メッセージ（ＡＮＬＹＺＤ）を、サービス論理が常駐するＳＣＰに送信する（１１０８）。これは、ＣｇＰＮ＝Ａを含む。サービス制御ポイント（ＳＣＰ）１０２３は、アナウンス処理のために、呼がインテリジェント周辺装置１０２２に向かう必要があるかどうかを判断する。そうである場合、それは、発信側移動交換局（Ｏ−ＭＳＣ）１０１８に、インテリジェント周辺装置１０２２の転送先番号を付けて応答する（１１１０）。
【００８２】
発信側移動交換局（Ｏ−ＭＳＣ）１０１８は、インテリジェント周辺装置１０２２に、呼をルーティングし、そこで、Ａ者によって、「Ｇｅｏｒｇｅ  Ｂｕｒｄｅｌｌ」が録音される（１１１２）。
【００８３】
インテリジェント周辺装置１０２２は、発信側移動交換局（Ｏ−ＭＳＣ）１０１８に、ＣｇＰＮ＝インテリジェント周辺装置の番号、およびＣｄＰＮ＝Ｂを付けて、呼を中継する（１１１４）。
【００８４】
発信側移動交換局（Ｏ−ＭＳＣ）１０１８は、ホーム・ロケーション・レジスタ（ＨＬＲ）に、別のＬＯＣＲＥＱを送信する（１１１６）。ホーム・ロケーション・レジスタ（ＨＬＲ）は、工程１１０６と同様に、発信側移動交換局（Ｏ−ＭＳＣ）１０１８に向けて、再び動的に高度着信トリガを付ける（１１１８）。
【００８５】
高度着信トリガが、Ｏ−ＭＳＣからサービス制御ポイント（ＳＰＣ）１０２３に対して再度始動される（１１２０）。この時に、サービス制御ポイント（ＳＰＣ）１０２３は、「ＣｇＰＮ＝インテリジェント周辺装置の番号であることを認識し、したがって、移動交換局（ＭＳＣ）に、「呼を継続する」で応答する（１１２２）。
【００８６】
発信側移動交換局（Ｏ−ＭＳＣ）１０１８は、「通常の」呼処理を継続し（１１２４）、最終的には、上述したように、Ｂ者が呼び出され、または知らせを受ける（１１２６）。
【００８７】
加入者が呼を受け付けると判断すると、本明細書で企図される他の手法と同様に、呼は、インテリジェント周辺装置を介して中継されたままである。
【００８８】
図１２を参照すると、好ましくはサービス制御ポイント１０２３で実装されるサービス論理が示されている。図示するように、方法１２００は、発信側移動交換局（Ｏ−ＭＳＣ）から高度着信トリガ・メッセージを受信することによって、開始されるように示されている（工程１２０２）。すなわち、ＭＳＣは、ＡＮＬＹＺＤによって、サービス制御ポイント（ＳＣＰ）に、高度着信トリガの発生について報告する。次いで、サービス制御ポイント（ＳＣＰ）１０２３は、呼処理がインテリジェント周辺装置１０２２に送信されるべきかどうかを判断する（工程１２０４）。そうでない場合、通常の呼送達処理が完遂される（工程１２０６）。図１１の呼フローの説明に基づいて、これは、発呼者番号がインテリジェント周辺装置１０２２の番号であると識別された場合に行われることを理解されたい。
【００８９】
しかし、サービス制御ポイント（ＳＣＰ）１０２３は、呼処理がインテリジェント周辺装置１０２２で再開されるべきであると判断する場合、サービス制御ポイント（ＳＣＰ）１０２３は、「転送先」番号を含む位置要求で、発信側移動交換局（Ｏ−ＭＳＣ）１０１８に応答する（工程１２０８）。もちろん、この転送先番号は、インテリジェント周辺装置１０２２の番号である。発呼者番号が高度着信トリガから欠落している場合、または発呼者番号が特別な処理を必要とすると判断する場合に、工程１２０８が遂行されることを理解されたい。
【００９０】
本明細書で述べた本発明は、様々なハードウェアおよびソフトウェア技術を使用する、無線ネットワーク内で実施され得ることが理解されよう。好ましくは、図３、６および９に関連して説明したものなどのサービス論理は、無線ネットワークのホーム・ロケーション・レジスタ内に常駐するソフトウェアである。同様に、図１２に関連して説明したサービス論理は、サービス制御ポイント内に常駐するソフトウェアである。もちろん、本発明は、それに限定されない。また本発明を実施するのに必要なハードウェアおよびソフトウェアは、ネットワーク要素間で分散されることも、ネットワークによってアクセス可能な別個のサーバ内に格納されることもある。さらに、本出願を通して確認されるインテリジェント周辺装置は、様々な形を取り得る。しかし、ある実施形態では、インテリジェント周辺装置は、ルーセント・テクノロジー社によって提供される、ｅＭＲＳネットワーク要素の形態を取る。
【００９１】
上記の説明は、本発明の特定の実施形態について開示するものにすぎず、また本発明をそれに限定するためのものではない。したがって、本発明は、上記の諸実施形態だけに限定されず、当業者は、本発明の範囲内に含まれる代替の実施形態を考案し得ることが理解されよう。
【図面の簡単な説明】
【００９２】
【図１】本発明を組み込んだネットワークのブロック図である。
【図２】本発明による呼の流れを示す図である。
【図３】本発明による方法を示すフローチャート図である。
【図４】本発明の別の実施形態によるネットワークのブロック図である。
【図５】本発明による呼の流れを示す図である。
【図６】本発明による方法を示すフローチャート図である。
【図７】本発明の別の実施形態によるネットワークのブロック図である。
【図８】本発明による呼の流れを示す図である。
【図９】本発明による方法を示すフローチャート図である。
【図１０】本発明の別の実施形態によるネットワークのブロック図である。
【図１１】本発明による呼の流れを示す図である。
【図１２】本発明による方法を示すフローチャート図である。
【図１】
2005160101.tif 000003
【図２】
2005160101.tif 000004
【図３】
2005160101.tif 000005
【図４】
2005160101.tif 000006
【図５】
2005160101.tif 000007
【図６】
2005160101.tif 000008
【図７】
2005160101.tif 000009
【図８】
2005160101.tif 000010
【図９】
2005160101.tif 000011
【図１０】
2005160101.tif 000012
【図１１】
2005160101.tif 000013
【図１２】
2005160101.tif 000014